(57)【特許請求の範囲】
【請求項１】
本体に設けられたペン入力部上でペンを介して各種データを入力するペン入力装置において、
前記ペンの先端部が保持されるとともに前記本体内にて水平位置と傾斜位置との間で回動可能に支持され、当該回動の支持軸から先端に向かう側線上に係止穴が形成されたペンホルダと、
前記ペンホルダを傾斜位置の方向に付勢する第１バネ部材と、
前記ペンホルダの係止穴に係合する係止部が形成され、係止部が係止穴に係合した状態でペンホルダを水平位置に保持するリンク部材と、
前記ペンホルダの係止穴とリンク部材の係止部との間における係合を解除する係合解除部材と、
前記リンク部材と係合解除部材との間に配設され、前記ペンホルダの回動方向とは直交する方向にリンク部材を付勢することにより係止穴と係止部とを係合させる第２バネ部材とを備え、
前記係合解除部材により第２バネの付勢力に抗して係止穴と係止部との係合を解除することにより前記ペンホルダが第１バネ部材の付勢力に基づき傾斜位置に回動されて前記ペンが使用可能な状態に保持され、
前記ペンを保持した状態でペンホルダを前記第１バネ部材の付勢力に抗して水平位置まで回動することにより前記第２バネ部材の付勢力に基づき係止穴と係止部とが係合されてペンが収納状態に保持されることを特徴とするペン入力装置。
【請求項２】
前記ペンホルダは、前記ペン入力部が設けられている面と同一平面上に設けられていることを特徴とする請求項１に記載のペン入力装置。
【請求項３】
前記ペンが保持されているペンホルダの開口部は、前記本体の正面側に向かって開口されていることを特徴とする請求項１もしくは２に記載のペン入力装置。
【請求項４】
前記係合解除部材は、前記ペン入力部を含む天面部に対して立ち壁を形成する側面に設けられていることを特徴とする請求項１に記載のペン入力装置。
【請求項５】
前記本体には、水平位置に回動されたペンホルダに保持されているペンの軸部を収納する収納部が形成されていることを特徴とする請求項１乃至４のいずれかに記載のペン入力装置。
【請求項６】
前記ペンホルダは係合溝を有し、前記第１バネ部材の一方の端部付近に設けられた係合部が前記ペンホルダの係合溝に係合することにより、その係合部がペンホルダに収納されたペンの軸部に圧接されることを特徴とする請求項１乃至５のいずれかに記載のペン入力装置。
【発明の詳細な説明】
【０００１】
【発明の属する技術分野】
本発明は、本体に設けられたペン入力部上でペンを介して各種データを入力するペン入力装置に関し、特に、ペンの先端部を保持するペンホルダを本体内で水平位置と傾斜位置と間で回動可能に支持し、ワンタッチでペンホルダを水平位置と傾斜位置とに切り換えるように構成することにより、ペンを紛失することなく容易に且つ迅速にペンの取出及び収納が可能であり、もって使い勝手を向上することが可能なペン入力装置に関するものである。
【０００２】
【従来の技術】
近年、透明なタブレットからなるペン入力部が設けられ、かかるペン入力部上でペンを介して各種データを入力するように構成されたワードプロセッサ、電子手帳等の電子機器が提案されている。これらの電子機器では、データの入力時にペンが必要となり、また、ペンは紛失し易いことから、通常、ペン収納部が設けられている。
【０００３】
前記ペン入力可能なワードプロセッサのペン収納部は、裏面に液晶ディスプレイが配置された蓋の側部に設けられているのが一般的である。このとき、ペン収納部は、蓋の内部に回動可能に配設されたキャップ状のペンホルダを有し、このペンホルダは、蓋の厚さ内に配置する必要があり、また、蓋の開閉上支障が発生しないように、ほぼ蓋の表面（液晶ディスプレイの表面）に沿った方向に配設されている。従って、ペン収納部に対するペンの収納及び取出は、ペンをほぼ垂直状態に把持して行われている。
【０００４】
また、前記ペン入力可能な電子手帳のペン収納部は、ディスプレイ部の側部のペンを圧入するための収納溝からなり、ペンは収納溝内に圧入されて収納されるとともに、収納溝からペンを取り出すときは指先等で引っかけて収納溝から取り出される。
【０００５】
【発明が解決しようとする課題】
しかしながら、前記従来のワードプロセッサにおいては、ペン収納部に対するペンの収納及び取出は、蓋の内部にてペンホルダが蓋の表面に沿った方向（ほぼ垂直方向）に配設されていることから、常にペンを垂直状態に把持した状態で行わなければならない。一方、ペン入力部上でペン入力を行う際には、ペンを傾斜させた状態で使用される。従って、ペン収納部に対してペンの収納及び取出を行う時には、ペンの握り状態を持ち変える必要があり、これよりペン収納部に対するペンの収納及び取出が煩雑なものとなり、また、迅速に行うことができない。
【０００６】
また、前記従来の電子手帳においては、ペン収納部に対するペンの収納及び取出は、ペンを収納溝内に圧入し、収納溝から指先等で引っかけて取り出すに過ぎない構成である。従って、ペン収納部に対するペンの収納及び取出は煩雑なものとなって容易且つ迅速に行うことができない。
前記したように、従来のワードプロセッサ、電子手帳では、ペン収納部に対するペンの収納及び取出を優位且つ迅速に行うことが困難なものである。
【０００７】
本発明は、前記従来の問題点を解消するためになされたものであり、ペンの先端部を保持するペンホルダを本体内で水平位置と傾斜位置の間で回動可能に支持し、ワンタッチでペンホルダを水平位置と傾斜位置とに切り換えるように構成することにより、ペンを紛失することなく容易に且つ迅速にペンの取出及び収納が可能であり、もって使い勝手を向上することができるペン入力装置を提供することを目的とする。
【０００８】
【課題を解決するための手段】
この目的を達成するために成された請求項１に記載のペン入力装置は、本体に設けられたペン入力部上でペンを介して各種データを入力するペン入力装置において、前記ペンの先端部が保持されるとともに前記本体内にて水平位置と傾斜位置との間で回動可能に支持され、当該回動の支持軸から先端に向かう側線上に係止穴が形成されたペンホルダと、前記ペンホルダを傾斜位置の方向に付勢する第１バネ部材と、前記ペンホルダの係止穴に係合する係止部が形成され、係止部が係止穴に係合した状態でペンホルダを水平位置に保持するリンク部材と、前記ペンホルダの係止穴とリンク部材の係止部との間における係合を解除する係合解除部材と、前記リンク部材と係合解除部材との間に配設され、前記ペンホルダの回動方向とは直交する方向にリンク部材を付勢することにより係止穴と係止部とを係合させる第２バネ部材とを備え、前記係合解除部材により第２バネの付勢力に抗して係止穴と係止部との係合を解除することにより前記ペンホルダが第１バネ部材の付勢力に基づき傾斜位置に回動されて前記ペンが使用可能な状態に保持され、前記ペンを保持した状態でペンホルダを前記第１バネ部材の付勢力に抗して水平位置まで回動することにより前記第２バネ部材の付勢力に基づき係止穴と係止部とが係合されてペンが収納状態に保持されることを特徴とする。
【０００９】
このような構成を有するペン入力装置の本体内には、本体の外側からペンの先端部をさし込んで保持することができるペンホルダを備えており、ペンで各種データをペン入力部上で入力を行っている際には、かかるペンホルダは、第１バネ部材で傾斜位置の方向に付勢されている。ペンでの入力が終了し、ペンを収納状態にする場合には、傾斜位置の方向にあるペンホルダにペンの先端部を本体の外側からさし込んで保持させた後に、ペンを本体側に倒すことにより、ペンホルダを回動させて傾斜位置から水平位置の方向にする。ペンホルダが水平位置の方向になると、ペンホルダの係止穴とリンク部材の係止部とが係合し、さらに、リンク部材の係止部がペンホルダの係止穴と係合する方向に、第２バネ部材がリンク部材を付勢するので、第１バネ部材がペンホルダを傾斜位置の方向に付勢する付勢力に抗して、ペンホルダを水平位置の方向に保持することができる。これにより、ペンを収納状態に保持することができる。
【００１０】
また、ペンを収納状態から使用可能な状態にする場合には、本体の外側から係合解除部材を押下して、水平位置の方向にあるペンホルダとリンク部材との係合を解除する。リンク部材との係合を解除されたペンホルダは、第１バネ部材で回動されて、水平位置から傾斜位置の方向に付勢される。このとき、ペンホルダに先端部がさし込まれて保持されているペンも傾斜状態に起こされ、傾斜位置の方向のペンホルダにペンの先端部をさし込んで保持されたときの状態に戻るので、これにより、ペンを使用可能な状態に保持することができる。
【００１１】
以上より、ペンを紛失することなく、係合解除部材の押下によるワンタッチで容易に且つ迅速にペンの取出及び収納が可能となり、もって使い勝手を向上させることができる。
【００１２】
また、請求項２に記載のペン入力装置は、請求項１に記載のペン入力装置であって、前記ペンホルダは、前記ペン入力部が設けられている面と同一平面上に設けられていることを特徴とする。
【００１３】
このような構成を有するペン入力装置では、ペン入力部と同一平面に設けられていることで、ペンを取り出したり収納する際に、本体の向きを変えたり、傾けることなく容易に且つ迅速に行うことができる。特に、ペン入力部（タブレット）の右側付近にペンホルダを設けた場合には、使用者が右ききならばペンを右手で取り出して、そのまま入力動作に移ることができ、また、収納する際にも入力動作を終了した後、ペンを持ち変えずにそのまま収納することができる。
【００１４】
また、請求項３に記載のペン入力装置は、請求項１又は請求項２に記載のペン入力装置であって、前記ペンが保持されているペンホルダの開口部は、前記本体の正面側に向かって開口されていることを特徴とする。
【００１５】
このような構成を有するペン入力装置では、ペンの先端部がさし込まれて、ペンを保持するペンホルダの開口部が本体の正面側を向いているので、ペンを収納状態にするときは、入力が終了したペン先の方向を変えることなく、速やかに傾斜位置の方向にあるペンホルダにペンの先端部をさし込んで、ペンを保持させることができる。また、ペンを使用可能な状態にしたときは、係合解除部材の押下により傾斜状態に起こされたペン（の後端）は本体の正面側を向いているので、速やかにペンを握って取り出すことができる。
【００１６】
また、請求項４に記載のペン入力装置は、請求項１に記載のペン入力装置であって、前記係合解除部材は、前記ペン入力部を含む天面部に対して立ち壁を形成する側面に設けられていることを特徴とする。
【００１７】
このような構成を有するペン入力装置では、ペン入力部付近がすっきりとしたものになり、入力動作が行いやすく、外観も美しい。
【００１８】
また、請求項５に記載のペン入力装置は、請求項１乃至請求項４のいずれかに記載のペン入力装置であって、前記本体には、水平位置に回動されたペンホルダに保持されているペンの軸部を収納する収納部が形成されていることを特徴とする。
【００１９】
このような構成を有するペン入力装置において、ペンが収納状態に保持されているときには、水平位置の方向にあるペンホルダに保持されているペンの軸部が、本体の上部に形成された収納部に収納されており、このとき、ペンが本体上面から突出することがないので、ペン入力の際等においてペンが邪魔になることはなく、また、ペンを見栄え良く収納することができる。
【００２０】
また、請求項６に記載のペン入力装置は、請求項１乃至５のいずれかに記載のペン入力装置であって、前記ペンホルダは係合溝を有し、前記第１バネ部材の一方の端部付近に設けられた係合部が前記ペンホルダの係合溝に係合することにより、その係合部がペンホルダに収納されたペンの軸部に圧接されることを特徴とする。
【００２１】
このような構成を有するペン入力装置では、係合部がペンホルダに収納されたペンの軸部を圧接しているので、ペンホルダが水平位置から傾斜位置に回転する力が働いてもペンが飛び出すことがない。
【００２２】
【発明の実施の形態】
以下、本発明の実施の形態を図面を参照にして説明する。図４に、本発明に係るペン入力装置であるペン入力シールワープロ１の外観を示す。また、図５は、図４の線Ａ−Ａで切断したペン入力シールワープロの断面図である。
本発明に係るペン入力シールワープロ１は、第１本体６と第２本体２等から構成されている。かかる第２本体２の開口部からは、ペン入力部であるタブレット３の面が露出しており、第２本体２を開閉することなく、第２本体２の外側から、タブレット３とペン４を用いて入力を行うことができる。また、第１本体６にはペン４の先端部を収納する凸部５が、第２本体２の上部にはペン４の軸部を収納する収納部７が（図５参照）、それぞれ形成されている。
【００２３】
次に、ペンを収納する構造（以下、「ペン収納構造」という）について、図３を用いて説明する。図３は、ペン４で入力をしているときのペン収納構造を斜視図で示した図である。ペン収納構造は、ペンホルダ１０、第１バネ部材であるねじりバネ１１、リンク部材であるペンリリースリンク１２、係合解除部材であるプッシュボタン１４、第２バネ部材である圧縮バネ１５等から構成されており、かかる構成要素は、ペン入力シールワープロ１の第１本体６内に設置されている。
【００２４】
ペンホルダ１０は、後述する図１のように、第２本体２の外側からペン４の先端部がさし込まれて、ペン４を保持するものである。また、回動軸１０Ａを軸として回動し、図３に示す傾斜位置または後述する図２に示す水平位置の方向になることができる。さらに、爪部１０Ｂと係止穴１０Ｃを有している。また、ペン４の先端部がさし込まれる開口部１０Ｄは、ペン入力シールワープロ１の正面側を向いている。
【００２５】
ねじりバネ１１は、その中心がペンホルダ１０の回動軸１０Ａに取り付けられ、また、一端がペンホルダ１０の上面側に載置され、他端がペンホルダ１０の爪部１０Ｂにそれぞれ当接しており、これによって、ペンホルダ１０を図３に示す傾斜位置の方向に付勢することができる。また、ねじりバネ１１の前記一端の先端部は、凹形状に曲げられており、その凹形状部分（係合部）がペンホルダ１０の上面側に形成された係合溝１０Ｅとねじりバネ１１の弾性力により係合し、ペン４に摩擦力を与えている。これによって、ペンホルダ１０が水平位置から傾斜位置に回転する力が働いてもペン４が飛び出さないようになっている。
【００２６】
ペンリリースリンク１２は、その一端に係止部１２Ａを有しており、図２に示す水平位置の方向のペンホルダ１０の係止穴１０Ｃと係合することができる。また、回動軸１３を軸として回動することができる。
プッシュボタン１４は、当接部１４Ａを有しており、プッシュボタン１４が押下されて、かかる当接部１４Ａがペンリリースリンク１２に当接すると、ペンリリースリンク１２が回動して、図２に示す水平位置の方向のペンホルダ１０の係止穴１０Ｃとペンリリースリンク１２の係止部１２Ａとの係合を解除することができる。
【００２７】
圧縮バネ１５は、ペンリリースリンク１２とプッシュボタン１４の間に配設されており、一端がプッシュボタン１４と接していて、プッシュボタン１４を第１本体６の外側に付勢している。また、同時に、他端が係止部１２Ａ側のペンリリースリンク１２と接していて、ペンリリースリンク１２を係止部１２Ａ側に押しつけている。これにより、図２に示す水平位置の方向のペンホルダ１０とペンリリースリンク１２とが係合している状態を保持することができる。
【００２８】
次に、ペン４を収納状態に保持する動作について、図２、図３を用いて説明する。図２は、ペン４が収納状態に保持されたときのペン収納構造を斜視図で示した図である。尚、図３は、上述したように、ペン４で入力をしているときのペン収納構造を示している。
【００２９】
ペン４を用いて入力を行っている際には、ペンホルダ１０は、図３に示すように、ねじりバネ１１で傾斜位置の方向に付勢されている。ペン４での入力が終了し、ペン４を収納状態にする場合には、後述する図１に示すように、傾斜位置の方向にあるペンホルダ１０にペン４の先端部を、第１本体６及び第２本体２の外側からさし込んで、ペン４を保持させる。この後に、図２に示すように、ペン４を第２本体２側に倒して、ペンホルダ１０を回動させて傾斜位置から水平位置の方向にする。
【００３０】
ペンホルダ１０が水平位置の方向になると、ペンホルダ１０の係止穴１０Ｃにペンリリースリンク１２の係止部１２Ａが入り込んで、ペンホルダ１０とペンリリースリンク１２とが係合し、さらに、ペンリリースリンク１２の係止部１２Ａがペンホルダ１０の係止穴１０Ｃと係合する方向に、圧縮バネ１５がペンリリースリンク１２を付勢するので、ねじりバネ１１がペンホルダ１０を傾斜位置の方向に付勢する付勢力に抗して、ペンホルダ１０を水平位置の方向に保持することができる。これにより、図２に示すように、ペン４を収納状態に保持することができる。
【００３１】
次に、ペン４を使用可能な状態に保持する動作について、図１、図２を用いて説明する。図１は、ペン４をペンホルダ１０から取り出すときのペン収納構造を斜視図で示した図である。
【００３２】
図２のように収納状態にあるペン４を、使用可能な状態に保持する場合には、第１本体６の外側からプッシュボタン１４を押下する。これにより、図１に示すように、圧縮バネ１５が押しつけているペンホルダ１０側（すなわち、係止部１２Ａ側）と反対側のペンリリースリンク１２に、プッシュボタン１４の一部である当接部１４Ａが当接し、水平位置の方向にあるペンホルダ１０とペンリリースリンク１２との係合が解除される。
【００３３】
ペンリリースリンク１２との係合を解除されたペンホルダ１０は、ねじりバネ１１で回動されて、水平位置から傾斜位置の方向に付勢される。このとき、図１に示すように、ペンホルダ１０に先端部がさし込まれて保持されているペン４も傾斜状態に起こされ、傾斜位置の方向のペンホルダ１０にペン４の先端部をさし込んで保持されたときの状態に戻るので、これにより、ペン４を使用可能な状態に保持することができる。尚、プッシュボタン１４の押下を解除すれば、ペン収納構造は図３に示すようになる。
【００３４】
以上より、ペン４を紛失することなく、プッシュボタン１４の押下によるワンタッチで容易に且つ迅速にペン４を取出及び収納が可能となり、もって使い勝手を向上させることができる。
【００３５】
また、ペン４の先端部がさし込まれて、ペン４を保持するペンホルダ１０の開口部１０Ｄは第１本体６及び第２本体２の正面側を向いているので、ペン４を収納状態にするときは、入力が終了したペン４のペン先の方向を変えることなく、速やかに傾斜位置の方向にあるペンホルダ１０にペン４の先端をさし込んで、ペン４を保持させることができる。また、ペン４を使用可能な状態にしたときは、プッシュボタン１４の押下により傾斜状態に起こされたペン４（の後端）は第１本体６及び第２本体２の正面側を向いているので、速やかにペン４の軸部を握って取り出すことができる。
【００３６】
また、図５に示すように、ペン４が収納状態に保持されているときには、水平位置の方向にあるペンホルダ１０に保持されているペン４の軸部が、第２本体２の上部に形成された収納部７に収納されており、このとき、ペン４が第２本体２の上面から突出することがないので、ペン４の入力の際等においてペン４が邪魔になることはなく、また、ペン４を見栄え良く収納することができる。
【００３７】
以上詳細に説明したように、本実施の形態のペン入力シールワープロ１では、ペン４の先端部を保持するペンホルダ１０を第１本体６内で水平位置と傾斜位置の間で回動可能に支持し、ペン４を収納状態にする場合には、傾斜位置の方向にあるペンホルダ１０にペン４の先端部をさし込んで、ペンホルダ１０を水平位置の方向にしてペンリリースリンク１２と係合させ、圧縮バネ１５でペンホルダ１０の水平位置の方向を保持することにより行い、また、ペン４を使用可能な状態にする場合には、プッシュボタン１４を押下して、水平状態の方向のペンホルダ１０とペンリリースリンク１２との係合を解除させ、ねじりバネ１１でペンホルダ１０を傾斜位置の方向に付勢することにより行っており、プッシュボタン１４の押下によるワンタッチで、ペンホルダ１０を水平位置と傾斜位置とに切り換えるように構成しているので、ペン４を紛失することなく容易に且つ迅速にペン４の取出及び収納が可能であり、もって使い勝手を向上することができる。
【００３８】
また、ペンホルダ１０の開口部１０Ｄが第１本体６及び第２本体２の正面側を向いているので、ペン４を収納状態にするときは、入力が終了したペン４のペン先の方向を変えることなく、速やかに傾斜位置の方向にあるペンホルダ１０にペン４の先端をさし込んで、ペン４を保持させることができ、さらに、ペン４を使用可能な状態にしたときは、プッシュボタン１４の押下により傾斜状態に起こされたペン４（の後端）は第１本体６及び第２本体２の正面側を向いているので、速やかにペン４の軸部を握って取り出すことができ、ペン４の収納及び取出を容易且つ迅速に行うことができる。
【００３９】
さらに、ペン４が収納状態に保持されているときには、ペン４が第２本体２の上面から突出することがないので、ペン４の入力の際等においてペン４が邪魔になることはなく、また、ペン４を見栄え良く収納することができる。
【００４０】
尚、本発明は上記実施の形態に限定されるものでなく、その趣旨を逸脱しない範囲で様々な変更が可能である。
例えば、上記実施の形態では、ねじりバネ１１を用いてペンホルダ１０を傾斜位置の方向に付勢しているが、ペンホルダ１０の開口部１０Ｄの反対側の先端におもり等をつけて、重力によりペンホルダ１０を傾斜位置の方向に付勢してもよい。
【００４１】
また、図６に示すように、ペン４の先端部を収納する凸部５とペン４の軸部を収納する収納部７とを第２本体２の側面に設ければ、図４に示したものと比べて、ペン入力シールワープロ１の第２本体２がすっきりとしたものになり、入力動作が行いやすく、外観も美しい。
【００４２】
【発明の効果】
以上、説明したことから明らかなように、本発明のペン入力装置では、ペンの先端部を保持するペンホルダを本体内で水平位置と傾斜位置の間で回動可能に支持し、係合解除部材の押下によるワンタッチで、ペンホルダを水平位置と傾斜位置とに切り換えるように構成し、また、ペンホルダの開口部は本体の正面側に向いており、さらに、収納状態のペンは本体の上面から突出することがないので、ペンを紛失することなく容易に且つ迅速にペンの取出及び収納が可能であるとともに、ペンを見栄え良く収納することが可能であり、もって使い勝手を向上することができるペン入力装置を提供することができ、その産業上奏する効果は大である。
【図面の簡単な説明】
【図１】  ペンをペンホルダにさし込んだとき、または、ペンをペンホルダから取り出すとき（ペンが使用可能な状態のとき）のペン収納構造を斜視図で示した図である。
【図２】  ペンが収納状態のときのペン収納構造を斜視図で示した図である。
【図３】  ペン入力をしているときのペン収納構造を斜視図で示した図である。
【図４】  ペン入力シールワープロの外観図である。
【図５】  図４の線Ａ−Ａで切断したペン入力シールワープロの断面図である。
【図６】  ペンを本体の側面で収納するペン入力シールワープロの外観図である。
【符号の説明】
１      ペン入力シールワープロ
２      第２本体
４      ペン
６      第１本体
７      収納部
１０    ペンホルダ
１０Ｄ  ペンホルダの開口部
１１    ねじりバネ
１２    ペンリリースリンク
１４    プシュボタン
１５    圧縮バネ
【図１】
0003800664.tif 000002
【図２】
0003800664.tif 000003
【図３】
0003800664.tif 000004
【図４】
0003800664.tif 000005
【図５】
0003800664.tif 000006
【図６】
0003800664.tif 000007